(57)【要約】【解決手段】  本開示の特定の実施形態は、送信機にＡＲＱフィードバックメッセージの最後の確認ブロックを知らせることによって、不必要な再送信を減らすため自動再送要求（ＡＲＱ）フィードバックメッセージを改良するための技術を提案する。【選択図】図６
2012508515.tif 000002
【特許請求の範囲】
【請求項１】
自動再送要求（ＡＲＱ）フィードバックメッセージを受信すること、
ＡＲＱフィードバックメッセージに基づいて確認される最後の１ブロックを決定すること、
確認される前記最後のブロックの後の前記ＡＲＱフィードバックメッセージの１つ以上のビットを無視すること、
を含む、無線通信方法。
【請求項２】
最後の確認ブロックを決定することは、最後の確認（ＡＣＫ）を決定することを含み、前記ＡＲＱフィードバックメッセージのビットを無視することは、最後のＡＣＫビットの後の連続的なＮＡＣＫビットを無視することを含む、
請求項１の方法。
【請求項３】
確認される前記最後のブロックを決定することは前記ＡＲＱフィードバックメッセージの最後の確認（ＡＣＫ）マップの最後のビットを読み込むことを含む、請求項１の方法。
【請求項４】
確認される前記最後のブロックを決定することは
前記最後のビットが１であれば、前記最後のビットをＡＣＫと解釈すること、
最後のビットが０であれば、前記ＡＲＱフィードバックメッセージの前記最後のＡＣＫマップの後のブロックの最後のブロック確認フィールドを読み込むこと、を含む、請求項３の方法。
【請求項５】
確認される前記最後のブロックを決定することはＡＲＱフィードバックメッセージの最後のブロックの連続番号（ＢＳＮ）で確認された最後のブロックの連続番号を読み取ることを含む、請求項１の方法。
【請求項６】
前記ＡＲＱフィードバックメッセージは、選択的な確認（ＡＣＫ）メッセージと選択的な確認（ＡＣＫ）メッセージとの累積の少なくとも一つを含む、請求項１の方法。
【請求項７】
自動再送要求（ＡＲＱ）ブロックを受信すること、
ＡＲＱブロックから確認した最後のブロックの指示を含むＡＲＱフィードバックメッセージを生成すること、
前記ＡＲＱフィードバックメッセージを送信すること、を含む、無線通信方法。
【請求項８】
確認される前記最後のブロックの指示は確認（ＡＣＫ）マップ情報要素の最後のブロック連続番号（ＢＳＮ）を含む、請求項７の方法。
【請求項９】
確認される前記最後のブロックの指示は前記ＡＲＱフィードバックメッセージの最後の確認（ＡＣＫ）マップの最後のビットを含む、請求項７の方法。
【請求項１０】
前記ＡＲＱフィードバックメッセージを生成することは、
確認される前記最後のブロックが前記最後のＡＣＫマップの前記最後のビットに対応すれば、確認を示すために最後の確認（ＡＣＫ）マップの前記最後のビットを１に設定すること、
確認される前記最後のブロックが前記最後のＡＣＫマップの前記最後のビットに対応しなければ、確認される前記最後のブロックを示すために最後のブロック連続番号（ＢＳＮ）フィールドを前記ＡＲＱフィードバックメッセージに追加すること、を含む、請求項７の方法。
【請求項１１】
前記ＡＲＱフィードバックメッセージは、選択的な確認メッセージと選択的な確認メッセージとの累積の少なくとも一つを含む、請求項７の方法。
【請求項１２】
自動再送要求（ＡＲＱ）フィードバックメッセージを受信するロジックと、
前記ＡＲＱフィードバックメッセージに基づいて確認される最後のブロックを決定するロジックと、
確認される前記最後のブロックの後の前記ＡＲＱフィードバックメッセージの１つ以上のビットを無視するロジックと、を含む、無線通信装置。
【請求項１３】
最後の確認ブロックを決定するロジックは、最後の確認（ＡＣＫ）ビットを決定することを含み、
前記ＡＲＱフィードバックメッセージのビットを無視するロジックは、前記最後のＡＣＫビットの後の連続的なＮＡＣＫビットを無視することを含む，請求項１２の装置。
【請求項１４】
確認される前記最後のブロックを決定することは前記ＡＲＱフィードバックメッセージの最後の確認（ＡＣＫ）マップの最後のビットを読み込むことを含む、請求項１２の装置。
【請求項１５】
確認される前記最後のブロックを決定することは、
最後のビットが１であれば、前記最後のビットをＡＣＫとして解釈するロジックと、
前記最後のビットが０であれば、前記ＡＲＱフィードバックメッセージの前記最後のＡＣＫマップの後の前記ブロックの最後のブロック確認フィールドを読み込むためのロジックと、を含む、請求項１４の装置。
【請求項１６】
確認される前記最後のブロックを決定することは前記ＡＲＱフィードバックメッセージの最後のブロックの連続番号（ＢＳＮ）で確認された前記最後のブロックの連続番号を読み取ることを含む、請求項１２の装置。
【請求項１７】
前記ＡＲＱフィードバックメッセージは、選択的な確認（ＡＣＫ）メッセージと選択的な確認（ＡＣＫ）メッセージとの累積の少なくとも一つを含む、請求項１２の装置。
【請求項１８】
自動再送要求（ＡＲＱ）ブロックを受信すること、
前記ＡＲＱブロックから確認される最後のブロックの指示を含むＡＲＱフィードバックメッセージを生成するロジックと、
前記ＡＲＱフィードバックメッセージを送信するロジックと、を含む、無線通信装置。
【請求項１９】
確認される前記最後のブロックの指示が確認（ＡＣＫ）マップ情報要素の最後のブロック連続番号（ＢＳＮ）フィールドを含む、請求項１８の装置。
【請求項２０】
認される前記最後のブロックの指示が前記ＡＲＱフィードバックメッセージの最後の確認（ＡＣＫ）マップの最後のビットを含む、請求項１８の装置。
【請求項２１】
確認される最後のブロックが最後のＡＣＫマップの最後のビットに対応すれば、確認を示すために最後の確認（ＡＣＫ）マップの最後のビットを１に設定するロジックと、
確認される前記最後のブロックが最後のＡＣＫマップの最後のビットに対応しなければ、確認された前記最後のブロックを示すために最後のブロック連続番号（ＢＳＮ）フィールドを前記ＡＲＱフィードバックメッセージに加えるロジックと、を具備する、請求項１８の装置。
【請求項２２】
前記ＡＲＱフィードバックメッセージは、選択的な確認メッセージ及び選択的な確認メッセージとの累積の少なくとも一つを含む、請求項１８の装置。
【請求項２３】
自動再送要求（ＡＲＱ）フィードバックメッセージを受信する手段と、
前記ＡＲＱフィードバックメッセージに基づいて確認される最後の１ブロックを決定する手段と、
確認される前記最後のブロックの後の前記ＡＲＱフィードバックメッセージの１つ以上のビットを無視する手段と、を具備する、無線通信装置。
【請求項２４】
最後の確認ブロックを決定する手段は、最後の確認（ＡＣＫ）ビットを決定することを含み、
前記ＡＲＱフィードバックメッセージのビットを無視する手段は、最後のＡＣＫビットの後の連続的なＮＡＣＫビットを無視することを含む。
請求項２３の装置。
【請求項２５】
確認される前記最後のブロックを決定することは前記ＡＲＱフィードバックメッセージの最後の確認（ＡＣＫ）マップの最後のビットを読み込むことを含む、請求項２３の装置。
【請求項２６】
前記最後の確認ブロックを決定することは、
前記最後のビットが１であれば、前記最後のビットをＡＣＫとして解釈する手段と、
前記最後のビットが０であれば、前記ＡＲＱフィードバックメッセージの前記最後のＡＣＫマップ後の前記ブロックの最後のブロック確認フィールドを読み取り手段と、含む、請求項２５の装置。
【請求項２７】
確認される前記最後のブロックを決定することは前記ＡＲＱフィードバックメッセージの最後のブロックの連続番号（ＢＳＮ）フィールドにおいて確認された最後のブロックの連続番号を読み取ることを含む、請求項２３の装置。
【請求項２８】
前記ＡＲＱフィードバックメッセージは、選択的な確認（ＡＣＫ）メッセージと選択的な確認（ＡＣＫ）メッセージとの累積の少なくとも一つを含む、請求項２３の装置。
【請求項２９】
自動再送要求（ＡＲＱ）ブロックを受信する手段と、
前記ＡＲＱブロックから確認される最後のブロックの指示を含むＡＲＱフィードバックメッセージを生成する手段と、
前記ＡＲＱフィードバックメッセージを送信する手段と、を具備する、無線通信装置。
【請求項３０】
確認される前記最後のブロックの指示が確認（ＡＣＫ）マップ情報要素の最後のブロック連続番号（ＢＳＮ）フィールドを含む、請求項２９の装置。
【請求項３１】
確認される前記最後のブロックの指示が前記ＡＲＱフィードバックメッセージの最後の確認（ＡＣＫ）マップの最後のビットを含む、請求項２９の装置。
【請求項３２】
前記ＡＲＱフィードバックメッセージは
確認される最後のブロックが最後のＡＣＫマップの最後のビットに対応すれば、確認を示すために最後の確認（ＡＣＫ）マップの最後のビットを１に設定する手段と、
確認される前記最後のブロックが最後のＡＣＫマップの最後のビットに対応しなければ、確認された前記最後のブロックを示すために最後のブロック連続番号（ＢＳＮ）フィールドを前記ＡＲＱフィードバックメッセージに加える手段と、を含む、請求項２９の装置。
【請求項３３】
前記ＡＲＱフィードバックメッセージは、選択的な確認メッセージ及び選択的確認メッセージとの累積の少なくとも１つとを含む、請求項２９の装置。
【請求項３４】
格納され、１つ以上のプロセッサによって、実行可能なインストラクションを有するコンピュータ可読の媒体を含む、無線通信のためのコンピュータプログラム記憶装置であって、
前記インストラクションは
自動再送要求（ＡＲＱ）フィードバックメッセージを受信するためのインストラクションと、
前記ＡＲＱフィードバックメッセージに基づいて確認される最後のブロックを決定するためのインストラクションと、
確認される前記最後のブロックの後の前記ＡＲＱフィードバックメッセージの１つ以上のビットを無視するためのインストラクションと、を含む、コンピュータプログラム記憶装置。
【請求項３５】
確認された前記最後のブロックを決定するためのインストラクションは、最後の確認（ＡＣＫ）ビットを決定することを含み、
前記ＡＲＱフィードバックメッセージの前記ビットを無視するためのインストラクションは、最後のＡＣＫビットの後の連続的なＮＡＣＫビットを無視することを含む、請求項３４のコンピュータプログラム記憶装置。
【請求項３６】
確認される前記最後のブロックを決定することは前記ＡＲＱフィードバックメッセージの最後の確認（ＡＣＫ）マップの最後のビットを読み込むことを含む、請求項３４のコンピュータプログラム記憶装置。
【請求項３７】
確認される前記最後のブロックを決定することは、
最後のビットが１であれば、前記最後のビットをＡＣＫとして解釈するためのインストラクションと、
前記最後のビットが０であれば、前記ＡＲＱフィードバックメッセージの最後のＡＣＫマップの後の前記ブロックの最後のブロック確認フィールドを読み込むためのインストラクションと、を含む、請求項３６のコンピュータプログラム記憶装置。
【請求項３８】
確認される前記最後のブロックを決定することは前記ＡＲＱフィードバックメッセージの最後のブロック連続番号（ＢＳＮ）で確認された最後のブロックの連続番号を読み取ることを含む、請求項３４のコンピュータプログラム記憶装置。
【請求項３９】
前記ＡＲＱフィードバックメッセージは、選択的な確認（ＡＣＫ）メッセージと選択的な確認（ＡＣＫ）メッセージとの累積の少なくとも一つを含む、請求項３４のコンピュータプログラム記憶装置。
【請求項４０】
格納され、１つ以上のプロセッサによって、実行可能なインストラクションを有するコンピュータ可読の媒体を含む、無線通信のためのコンピュータプログラム記憶装置であって、前記インストラクションは、
自動再送要求（ＡＲＱ）ブロックを受信するためのインストラクションと、
前記ＡＲＱブロックから確認される最後のブロックの指示を含むＡＲＱフィードバックメッセージを生成するためのインストラクションと、
前記ＡＲＱフィードバックメッセージを送信するためのインストラクションと、を含む、コンピュータプログラム記憶装置。
【請求項４１】
確認される前記最後のブロックの指示が確認（ＡＣＫ）マップ情報要素の最後のブロック連続番号（ＢＳＮ）フィールドを含む、請求項４０のコンピュータプログラム記憶装置。
【請求項４２】
確認される前記最後のブロックの指示が前記ＡＲＱフィードバックメッセージの最後の確認（ＡＣＫ）マップの最後のビットを含む、請求項４０のコンピュータプログラム記憶装置。
【請求項４３】
前記ＡＲＱフィードバックメッセージを生成することは、
確認される最後のブロックが最後のＡＣＫマップの最後のビットに対応すれば、確認を示すために最後の確認（ＡＣＫ）マップの最後のビットを１に設定するためのインストラクションと、
確認される前記最後のブロックが最後のＡＣＫマップの最後のビットに対応しなければ、確認された前記最後のブロックを示すために最後のブロック連続番号（ＢＳＮ）フィールドを前記ＡＲＱフィードバックメッセージに追加するためのインストラクションと、を含む、請求項４０のコンピュータプログラム記憶装置。
【請求項４４】
前記ＡＲＱフィードバックメッセージは、選択的な確認メッセージ及び選択的確認メッセージとの累積の少なくとも１つとを含む、請求項４０のコンピュータプログラム記憶装置。
【発明の詳細な説明】
【技術分野】
【０００１】
本開示は一般に無線通信に関し、特に、不必要な再送信を減らすため自動再送要求（ＡＲＱ）フィードバックメッセージを改善することに関する。
【背景技術】
【０００２】
無線通信システムは、音声、データ、などのような種々のタイプの通信コンテンツを提供するために広く開発されている。これらのシステムは、利用可能システム資源（例えば帯域幅及び送信電力）を共有することによって、多数のユーザとの通信を支援できるマルチアクセスシステムであってもよい。このようなマルチアクセスシステムの事例は符号分割多重アクセス（ＣＤＭＡ）システム、時分割多重アクセス（ＴＤＭＡ）システム、周波数分割多重アクセス（ＦＤＭＡ）システム、３ＧＰＰロングタームエボリューション（ＬＴＥ）システム及び直交周波数分割多重アクセス（ＯＦＤＭＡ）システムを含む。
【０００３】
一般的に、無線多重アクセス通信システムは、多数の無線端末に対して通信を同時にサポートすることができる。各端末は、順方向及び逆方向リンク上の送信を介して１つ以上の基地局と通信する。順方向リンク（又はダウンリンク）は基地局から端末までの通信リンクであり、逆方向リンク（又はアップリンク）は端末から基地局までの通信リンクである。この通信リンクは、単入力単出力、他入力単出力又は多入力多出力（ＭＩＭＯ）システムを介して確定できる。
【０００４】
ＭＩＭＯシステムはデータ送信のため多数の（ＮＴ）送信アンテナ及び多数の（ＮＲ）受信アンテナを採用している。ＮＴ送信及びＮＲ受信アンテナにより形成されるＭＩＭＯチャネルは、ＮＳ個の独立チャネルに分解される。Ｎｓ＜ｍｉｎ｛ＮＴ，ＮＲ｝の場合、それはまた、空間チャネルと呼ばれる。ＮＳ個の独立チャネルの各々は、ディメンションに対応する。多数の送受信アンテナにより作成される追加的なディメンションが利用される場合、ＭＩＭＯシステムは改良された性能（例えばより高いスループット及び／又はより大きな信頼性）を提供できる。
【発明の概要】
【０００５】
本特許出願は“Improvement of ARQ Feedback Message”と名称付けられ、２００８年１１月６日付けで出願された米国仮特許出願番号６１／１１２，１４７の優先権を有し、この出願人の譲渡人に譲渡され、その全てはここに参照によって、完全に組み込まれる。
【０００６】
本開示の特定の実施形態は、無線通信方法を提供する。方法は、一般に自動再送要求（ＡＲＱ）フィードバックメッセージを受信すること、ＡＲＱフィードバックメッセージに基づいて確認される最後のブロックを決定すること、確認された最後のブロックの後のＡＲＱフィードバックメッセージの１つ以上のビットを無視することを含む。
【０００７】
本開示の特定の実施形態は、無線通信方法を提供する。本方法は、一般に自動再送要求（ＡＲＱ）ブロックを受けること、ＡＲＱブロックから確認される最後のブロックの指示を含むＡＲＱフィードバックメッセージを生成すること、ＡＲＱフィードバックメッセージを送信することを含む。
【０００８】
本開示の特定の実施形態は、装置を無線通信に提供する。本装置は、一般に受信自動再送要求（ＡＲＱ（Automatic Repeat-Request））フィードバックメッセージを受信するためのロジック、ＡＲＱフィードバックメッセージに基づいて確認される最後のブロックを決定するためのロジック及び確認される最後のブロックの後のＡＲＱフィードバックメッセージの１つ以上のビットを無視するためのロジックを含む。
【０００９】
本開示の特定の実施形態は、本装置を無線通信に提供する。本装置は、一般に自動再送要求（ＡＲＱ）ブロックを受けるためのロジック、ＡＲＱブロックから確認される最後のブロックの指示を含むＡＲＱフィードバックメッセージを生成するロジック及びＡＲＱフィードバックメッセージを送信するロジックを含む。
【００１０】
本開示の特定の実施形態は、装置を無線通信に提供する。本装置は、一般に自動再送要求（ＡＲＱ）フィードバックメッセージを受信する手段、ＡＲＱフィードバックメッセージに基づいて確認される最後のブロックを決定する手段及び確認される最後のブロックの後のＡＲＱフィードバックメッセージの１つ以上のビットを無視する手段を含む。
【００１１】
本開示の特定の実施形態は、無線通信装置を提供する。装置は、一般的に自動再送要求（ＡＲＱ）を受信するための手段、ＡＲＱブロックから確認される最後のブロックの指示を含むＡＲＱフィードバックメッセージを生成する手段、及びＡＲＱフィードバックメッセージを送信する手段を含む。
【００１２】
本開示の特定の実施形態は、そこに記憶され、１つ以上のプロセッサによって、実行可能なインストラクション（命令）を有するコンピュータ可読媒体を含む無線通信のためのコンピュータプログラム記憶装置を提供する。命令は、一般に自動再送要求（ＡＲＱ）フィードバックメッセージを受信するためのインストラクション、ＡＲＱフィードバックメッセージに基づいて確認される最後のブロックを決定するためのインストラクション及び確認された最後のブロックの後にＡＲＱフィードバックメッセージの１つ以上のビットを無視するためのインストラクションを含む。
【００１３】
本開示の特定の実施形態は、そこに記憶され、１つ以上のプロセッサによって実行可能なインストラクションを有するコンピュータ可読媒体を含む無線通信のためのコンピュータプログラム記憶装置を提供する。インストラクションは、一般的に自動再送要求（ＡＲＱ）を受信するためのインストラクション、ＡＲＱブロックから確認される最後のブロックの指示を含むＡＲＱフィードバックメッセージを生成するインストラクション、及びＡＲＱフィードバックメッセージを送信するインストラクションを含む。
【図面の簡単な説明】
【００１４】
開示の態様及び実施形態は、同じ参照符号が全体を通して対応して同一視する図面と関連したとき以下に説明される詳細な説明から更に明らかになる。
【図１】本願明細書において、説明される特定の実施形態に従った典型的な無線通信システムを示す。
【図２】本願明細書において、説明される特定の実施形態に従った通信システムのブロック図を示す。
【図３】フィードバックメッセージが標準のマイクロ波アクセス（ＷｉＭＡＸ）のための移動世界的相互運用に従った自動再送要求（ＡＲＱ）を示す。
【図４】ＡＲＱフィードバックメッセージのための典型的な送受信スケジュールを示す。
【図５】図４の実施例のための選択的なＡＲＱフィードバックのための典型的なフィードバックビットマップを示す。
【図６】ここに説明されている特定の実施形態に従った、ＡＲＱ送信機により実行される実例動作を示す。
【図６Ａ】図６に示される動作を実行できる実例コンポーネントを示す。
【図７】ＡＲＱ送信機とＡＲＱ受信機との間のコマンドの典型的な交換及び、ここに説明されように特定の実施形態に従った、ＡＲＱ送信機及びＡＲＱ受信機により実行される実例動作を示す。
【図７Ａ】図７に示される動作を実行できる実例コンポーネントを示す。
【図８】ここに説明されるような特定の実施形態に従った、選択的ＡＲＱフィードバック及び選択的ＡＲＱフィードバックメッセージとの累積のための第１セットの提示ビットマップを示す。
【図９】ここに説明されるような特定の実施形態に従った、選択的ＡＲＱフィードバック及び選択的ＡＲＱフィードバックメッセージとの累積のための第２セットの提示ビットマップを示す。
【図１０】ＡＲＱ送信機とＡＲＱ受信機との間のコマンドの典型的な交換及びここに説明されるように特定の実施形態に従って、ＡＲＱ送信機及びＡＲＱ受信機により実行される典型的な動作を示す。
【図１０Ａ】図１０に示される動作を実行できる実例コンポーネントを示す。
【図１１Ａ】ここに説明されるような特定の実施形態に従った、選択的ＡＲＱフィードバック及び選択的ＡＲＱフィードバックメッセージとの累積のための第３セットの提示ビットマップを示す。
【図１１Ｂ】ここに説明されるような特定の実施形態に従った、選択的ＡＲＱフィードバック及び選択的ＡＲＱフィードバックメッセージとの累積のための第３セットの提示ビットマップを示す。
【図１１Ｃ】ここに説明されるような特定の実施形態に従った、選択的ＡＲＱフィードバック及び選択的ＡＲＱフィードバックメッセージとの累積のための第３セットの提示ビットマップを示す。
【図１１Ｄ】ここに説明されるような特定の実施形態に従った、選択的ＡＲＱフィードバック及び選択的ＡＲＱフィードバックメッセージとの累積のための第３セットの提示ビットマップを示す。
【発明を実施するための形態】
【００１５】
特定の実施形態は同じ参照番号が全体を通じて同じ素子を参照するために使用される図面を参照してここに説明する。説明のために以下の記述では、多数の具体的な詳細は、特定の実施形態の完全な理解を提供するために記載される。しかし、それはこのような実施形態がこれらの具体的な詳細なしで実施し得ることがあってもよい。他の例において、周知の構造及び装置は、特定の実施形態を説明することを容易にするためにブロック図形式で示される。
【００１６】
典型的な無線通信システム
ここに記載されている技術は直交多重化方式に基づいている通信システム含めて、種々のブロードバンド無線通信システムのために使用されてもよい。このような通信システムの実施例は、直交周波数分割多重アクセス（ＯＦＤＭＡ）システム、単一搬送周波数分割多重アクセス（ＳＣ−ＦＤＭＡ）システム、などを含む。ＯＦＤＭＡシステムは直交周波数分割多重（ＯＦＤＭ）を利用する。それは総合システム帯域幅を多数の直交副搬送波に区分けする変調技術である。これらの副搬送波は、また、トーン、ビンズ、などと呼ぶことができる。ＯＦＤＭについては、各副搬送波は、データによって、独立的に変調されてもよい。ＳＣ−ＦＤＭＡシステムは、システム帯域幅にわたって分布される副搬送波で送信するインタリーブＦＤＭＡ（ＬＦＤＭＡ）、隣接副搬送波のブロックで送信する局所化ＦＤＭＡ（ＥＦＤＭＡ）、又は隣接副搬送波の複数のブロックで送信する強化ＦＤＭＡ（ＩＦＤＭＡ）を利用できる。一般に、変調シンボルは、ＯＦＤＭによって、周波数領域で、ＳＣ−ＦＤＭＡによって、時間領域で送信される。
【００１７】
直交多重化方式に基づく通信システムの１つの実施例は、ＷｉＭＡＸシステムである。マイクロ波アクセスの世界的相互運用を表すＷｉＭＡＸは、長距離にわたり高いスループットブロードバンド接続を提供する標準ベースのブロードバンド無線技術である。今では、ＷｉＭＡＸの２つのメインアプリケーション、即ち、固定ＷｉＭＡＸ及び移動ＷｉＭＡＸがある。固定ＷｉＭＡＸアプリケーションは例えば、ホーム及び企業へのブロードバンドアクセスを可能にするポイントツーマルチポイント（一対多）である。移動ＷｉＭＡＸは、ＯＦＤＭ及びＯＦＤＭＡに基づいており、ブロードバンド速度でセルラーネットワークの完全移動性を提供する。
【００１８】
ＩＥＥＥ  ８０２．１６ｘは固定及び移動ブロードバンド無線アクセス（ＢＷＡ）システムのための空中インターフェースを規定する新生標準化組織である。これらの標準は少なくとも４つの物理層（ＰＨＹｓ）及び１つの媒体アクセス制御（マック）層を規定する。４つの物理層のうちのＯＦＤＭ及びＯＦＤＭＡ物理層は、それぞれ固定及び移動ＢＷＡ領域において、最も普及している。
【００１９】
図１は、ここに説明されている特定の実施形態に従った典型的無線通信システム１００を示している。無線通信システム１００は、ブロードバンド無線通信システムであってもよい。用語「ブロードバンド無線」は、少なくとも無線、オーディオ、ビデオ、音声、インターネット及び／又はデータネットワークアクセスを提供する技術を参照する。無線通信システム１００は１つ以上のセル１０２に対して通信をする。各セルは基地局１０４によって、サービスされる。基地局１０４は、その基地局１０４によって、サービスされるセル１０２の範囲内でユーザ端末１０６と通信する固定局であってもよい。或いは、基地局１０４は、アクセスポイント、ノードＢ又は他のいくらかの技術で呼ばれてもよい。
【００２０】
図１に示すように、種々のユーザ端末１０６は、無線通信システム１００の全体にわたって分散される。ユーザ端末１０６は、固定（即ち、静止）、移動又はその両方であってもよい。或いは、ユーザ端末１０６は、遠隔局、アクセス端末、端末、加入者装置、移動局、局、ユーザ装置などと称してもよい。ユーザ端末１０６は、個人無線機器（例えば携帯電話、パーソナル携帯情報機器（ＰＤＡ）、携帯装置、ワイアレスモデム、オーディオ／ビデオプレーヤ、ラップトップコンピュータ、パソコン、他の携帯通信装置、他の携帯コンピュータ、衛星ラジオ、全地球測位システム、など）であってもよい。様々なアルゴリズム及び方法が、基地局１０４とユーザ端末１０６との間の無線通信システム１００での送信に使用されてもよい。例えば、信号はＯＦＤＭ／ＯＦＤＭＡ技術に従って基地局１０４とユーザ端末１０６との間で送受信されてもよい。これが事実ならば、無線通信システム１００は、ＯＦＤＭ／ＯＦＤＭＡシステム１００と称してもよい。
【００２１】
基地局１０４からユーザ端末１０６までの送信を容易にする通信リンクはダウンリンク１０８と称してもよく、ユーザ端末１０６から基地局１０４までの送信を容易にする通信リンクはアップリンク１１０と称してもよい。或いは、ダウンリンク１０８は順方向リンク又は順方向チャネルと称してもよく、アップリンク１１０は逆方向リンク又は逆方向チャネルと称してもよい。セル１０２は、多数のセクター１１２に分割されてもよい。セクター１１２は、セル１０２内の物理的サービスエリアである。ＯＦＤＭ／ＯＦＤＭＡシステム１００内の基地局１０４は、セル１０２の特定のセクター１１２の中で電力の流れを集中するアンテナを利用できる。このようなアンテナは、指向性アンテナと称してもよい。
【００２２】
特定の実施形態において、システム１００は多入力多出力（ＭＩＭＯ）通信システムであり得る。更に、システム１００はＦＤＤ、ＴＤＤなどのような通信チャネル（例えば、順方向リンク１０８、逆方向チャネル１１０など）を分割する任意のタイプの複合技術を実質的に使用できる。チャネルは、モバイル装置１０６と個々の基地局１０４との間で制御データを送信するために提供できる。
【００２３】
図２は、ここに説明されている特定の実施形態に従って典型的な無線ネットワーク環境２００を示す。無線ネットワーク環境２００は、便宜上１つの基地局２１０と１台の移動装置２５０を示す。しかし、システム２００が１つ以上の基地局及び／又は１つ以上の移動装置を含むことができ、追加的な基地局及び／又は移動装置はここに説明されている図示の基地局２１０及図示の移動装置２５０に実質的に類似するか異なることがありえる。更に、基地局２１０及び／又は移動装置２５０がそれら間の無線連通を容易にするためにここに記載されているシステム、技術、構成、実施形態、態様及び／又は方法を使用できると考えられる。
【００２４】
基地局２１０で、多くのデータストリームのためのトラフィックデータは、データソース２１２から送信（ＴＸ）データプロセッサ２１４までに提供される。特定の実施形態において、各データストリームは、それぞれのアンテナを介して及び／又は多数のアンテナを介して送信できる。ＴＸデータプロセッサ２１４は、符号化データを提供するためにそのデータストリームのために選ばれる特定の符号化方式に基づいてフォーマットして、符号化して、トラフィックデータストリームをインタリーブする。
【００２５】
データストリーム毎の符号化データは、例えば、直交周波数分割多重化（ＯＦＤＭ）技術を使用してパイロットデータと多重化できる。さらに又は代わりに、パイロットシンボルは、周波数分割多重化（ＦＤＭ）、時間分割多重化（ＴＤＭ）又は符号分割多重化（ＣＤＭ）できる。パイロットデータが、一般的に周知の方法で処理され、チャネル応答又は他の通信パラメータ及び／又は特性を推定するため移動装置２５０で使うことができる。データストリーム毎の多重化パイロット及び符号化データは、変調シンボルを提供するため特定の変調方式（例えば二値位相シフト変調（ＢＰＳＫ）、直交位相シフト変調（ＱＰＳＫ）、Ｍ−位相シフト変調（Ｍ−ＰＳＫ）、Ｍ−直交振幅変調（Ｍ−ＱＡＭ）、など）に基づいて、変調（例えばシンボルマップ）することができる。データストリーム毎のデータ信号速度、符号化及び変調は、プロセッサ２３０により提供される実行され、提供されるインストラクションによって、決定できる。
【００２６】
データストリームの変調シンボルはＴＸＭＩＭＯプロセッサ２２０に提供できる。これは更に（例えば、ＯＦＤＭのための）変調シンボルを処理できる。ＴＸ  ＭＩＭＯプロセッサ２２０は、それからＮｔ台の送信機（ＴＭＴＲ）２２２ａ乃至２２２ｔにＮｔ個の変調シンボルストリームに提供する。特定の実施形態において、ＴＸ  ＭＩＭＯプロセッサ２２０は、空間多重化、ダイバーシティ符号化又はプレコーディング（即ち、重みがデータ列の変調シンボルに、及びシンボルが送信されているアンテナに適用されている状態での、ビームフォーミング）のような特定の多重アンテナ技術を適用する。
【００２７】
各送信機２２２は、１つ以上のアナログ信号を提供するため個々の変調シンボルストリームを受信し、処理し、更にＭＩＭＯチャネルを介して送信するに適する変調信号を提供するためにアナログ信号を調整（例えば、増幅、フィルタ処理、アップコンバート、など）する。更に、送信機２２２ａ乃至２２２ｔからのＮｔ個の変調信号は、Ｎｔ個のアンテナ２２４ａ乃至２２４ｔからそれぞれ送信される。
【００２８】
移動装置２５０で、送信変調信号はＮｒ個のアンテナ２５２ａ乃至２５２ｒにより受信され、各アンテナ２５２からの受信信号は個々の受信機（ＲＣＶＲ）２５４ａ乃至２５４ｒに提供される。各受信機２５４は個々の信号を調整（例えば、フィルタ処理、増幅、ダウンコンバート、など）し、更に、対応する「受信」シンボルストリームを提供するためサンプルを処理する。
【００２９】
受信（ＲＸ）データプロセッサ２６０は、Ｎｔ個の“検出”シンボルストリームを提供するために特定の受信機処理技術に基づいてＮｒ個の受信機２５４からのＮｒ個の受信シンボルストリームを処理できる。ＲＸデータプロセッサ２６０は、データストリームのためのトラフィックデータを回復するため各検出シンボルを復調し、逆インタリーブし、復号し、データシンク２６２にトラフィックデータを提供する。特定の実施形態において、移動装置２５０に対して、ＲＸデータプロセッサ２６０による処理は、基地局２１０でＴＸ  ＭＩＭＯプロセッサ２２０及びＴＸデータプロセッサ２１４により実行されるものに相補的でありえる。
【００３０】
プロセッサ２７０は、上記のようにどのプレコーディングマトリックスを利用するべきかを周期的に決定できる。更に、プロセッサ２７０はマトリックスインデックス部及びランク値部を含む逆方向リンクメッセージを構築できる。逆方向リンクメッセージは、通信リンク及び／又は受信データストリームに関する種々のタイプの情報を含めることができる。逆方向リンクメッセージは、データソース２３６からの多数のデータストリームに対するトラフィックデータをも受信するＴＸデータプロセッサ２３８により処理され、モジュレータ２８０により変調され、送信機２５４ａ乃至２５４ｒにより調整され、基地局２１０に戻し送信できる。
【００３１】
基地局２１０で、移動装置２５０からの変調信号は、Ｎｔ個のアンテナ２２４によって受信され、個々のＮｔ個の受信機２２２により調整され、復調器２４０により復調され、ＲＸデータプロセッサ２４２により処理されて、移動装置２５０により送信される逆方向リンクメッセージを抽出し、データシンク２４４に逆方向リンクメッセージを提供する。更に、プロセッサ２３０はビームフォーミング重みを決定するためにどのプレコーディングマトリックスを使用するべきかを決定するために抽出メッセージを処理できる。
【００３２】
プロセッサ２３０及び２７０は基地局２１０及び移動装置２５０でそれぞれオペレーションを指揮（例えば、制御、調整、管理、など）することができる。個々のプロセッサ２３０及び２７０は、プログラムコード及びデータを格納するメモリ２３２及び２７２と関連し得る。プロセッサ２３０及び２７０はまた、アップリンク及びダウンリンクに対する周波数及びインパルス応答推定値を引き出すために計算を実行できる。特定のプロセッサモジュールが特定の実施形態に存在しないかもしれない、又はここに示されていない追加のプロセッサモジュールが存在するかもしれないように処理モジュール間で移動し得る。
【００３３】
（ここに開示される全てのデータ記憶装置と同様に）メモリ２３２及び２７２は揮発性メモリ又は不揮発性メモリのいずれかででき、揮発性及び不揮発性部の両方を含むことができ、固定化、可動化でき、又は固定及び着脱可能部分の両方を含むことができる。限定でなく、事例として、不揮発性メモリは読出し専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）又はフラッシュメモリを含むことができる。揮発性メモリはランダムアクセスメモリ（ＲＡＭ）を含むことができ、それは外部キャッシュメモリとして作用する。限定でなく、事例として、ＲＡＭは多くの形式、例えば同期ＲＡＭ（ＳＲＡＭ）、ダイナミックＲＡＭ（ＤＲＡＭ）、同期式ＤＲＡＭ（ＳＤＲＡＭ）、二重データ速度ＳＤＲＡＭ（ＤＤＲ  ＳＤＲＡＭ）、強化ＳＤＲＡＭ（ＥＳＤＲＡＭ）、同期リンクＤＲＡＭ（ＳＬＤＲＡＭ），及び直接ダイナミックＲＡＭＲＡＭ（ＤＲＲＡＭ）に利用できる。
【００３４】
ＡＲＱフィードバックメッセージの典型的な改良
本開示の特定の実施形態は、自動再送要求（ＡＲＱ）フィードバックメッセージを改良する方法を提案する。本方法は、不必要な再送信を避けるためにＡＲＱフィードバックメッセージにおいて、確認した最後のブロックをＡＲＱ送信機に通知することを含む。
【００３５】
モバイルＷｉＭＡＸ規格において、４つのタイプのＡＲＱフィードバックメッセージが規定される。例えば、
タイプ１（００）：選択的な確認（ＡＣＫ）、
タイプ２（０１）：累積的なＡＣＫ、
タイプ３：選択的なＡＣＫとの累積（Cumulative with Selective ACK）、
タイプ４：ブロックシーケンスＡＣＫとの累積的ＡＣＫ（Cumulative ACK with Block Sequence ACK）。
【００３６】
図３は、モバイルＷｉＭＡＸ規格に従うＡＲＱフィードバックメッセージタイプを示す。この図において、ビットマップが４つのＡＲＱフィードバックメッセージタイプに対して示される。ＣＩＤ３０２は１６ビット接続識別であり、ＢＳＮ３０４はブロック連続番号、Ｌ３０６は最後のビットを示し、Ｎ３０８はＡＣＫマップ情報要素（ＩＥ）の数引く１を示し、Ｘ３１０はゼロ又は１のいずれかの値を有するビットであり、Ｓｅｑ  Ｌｅｎ３１２はシーケンス長を示す。
【００３７】
一般的に、選択的なＡＣＫ又は選択的なＡＣＫフィードバックメッセージタイプとの累積を利用しているＡＲＱ受信機は、１６の倍数のブロックを有するビットマップを準備しなければならない。ＡＲＱ受信機が１６の倍数とは異なる数を合計するブロックに対してＡＣＫを示しているＡＲＱフィードバックを提供することを必要とする場合、問題が生じるかもしれない。例えば、受信機は９つのブロックのためのＡＣＫメッセージを送りたくなるかもしれない。それ故に、ＡＲＱ受信機は、フィードバックブロックのビットの合計数を１６の倍数とするためにＮＡＣＫとして設定される追加ブロックに対応するビットでＡＲＱフィードバックを準備しなければならない。例えば、ＡＲＱ受信機は、１６ビットＡＲＱフィードバックメッセージを生成するために１６−９＝７のゼロ（例えばＮＡＣＫ）をＡＲＱフィードバックメッセージに加えることを必要とするかもしれない。従って、ＡＲＱ受信機は必要以上に多くのＮＡＣＫを生成するかもしれず、それはＡＲＱ送信機によって、不必要な再送信となってしまう。
【００３８】
図４は、ＡＲＱフィードバックメッセージのための典型的な送信／受信スケジュールを示す。第１のフレーム４０２（例えばフレーム１）において、ＡＲＱ受信機はＡＲＱブロック（例えばブロック１０）を受信する。ＡＲＱ受信機は、選択的なフィードバックメッセージ（例えばフィードバックメッセージ１）を準備する。第２のフレーム４０４（例えばフレーム２）において、ＡＲＱ受信機は第２のＡＲＱブロック（例えばブロック１１）を受信し、更に、ＡＲＱ受信機は第３のフレーム４０６（例えばフレーム３）における前のブロックのフィードバックメッセージ（例えばフィードバックメッセージ１）を送る帯域幅を受信する。
【００３９】
図５は、図４の第１のフレーム４０２のための実例の選択的フィードバックメッセージを示す。フィードバックメッセージ１は第１のフレーム（ブロック１０）のためのＡＣＫビット５０２及び第２のフレームにおいて、受信されるブロック１１を含む、第１のフレーム後のフレームのためのＮＡＣＫビットを含む。
【００４０】
第３のフレーム４０６（例えば図４のフレーム３）において、ＡＲＱ送信機は（図５に示されるように）ブロック１１のためのナックビット５０４を示す、選択的なフィードバックメッセージ１を受信する。ブロック１１のためのＮＡＣＫメッセージに応答して、ＡＲＱ送信機は、それが、ちょうど前のフレームで送られて、正しく受信されたかもしれないので必要でないかもしれないブロック１１を再送信する。
【００４１】
本開示の特定の実施形態は、送信機にＡＲＱフィードバックメッセージの最後の確認ビットを知らせることによって、ＡＲＱ送信機によって、ブロックの不必要な再送信となる不必要な否定確認を減らす方法を提案する。
【００４２】
図６は、本出願の特定の実施形態によれば、ＡＲＱ送信機により実行される動作の実例シーケンスを示す。６０２では、ＡＲＱ送信機は、送信されたブロックに関してＡＲＱフィードバックを受信する。６０４では、ＡＲＱ送信機は、ＡＲＱフィードバックメッセージの最後のＡＣＫビットを識別する。６０６では、ＡＲＱ送信機は、最後のＡＣＫビットの後、連続的なＮＡＣＫビットを無視する。特定の実施形態によれば、最後のＡＣＫビットの後の連続的なＮＡＣＫビットを無視することによって、ＡＲＱ送信機は不必要な転送を回避する。
【００４３】
図７は本出願の特定の実施形態に従って、ＡＲＱ送信機及びＡＲＱ受信機により実行されるコマンド及びシーケンスの事例的交換を示す。ＡＲＱ送信機は７０４で示されるＡＲＱ受信機によって、少なくとも部分的に受信される、７０２で示されるブロックを送信する。ＡＲＱ受信機は、７０６で（ＡＣＫマップを含む）フィードバックメッセージを生成する。例えば、ＡＲＱ受信機は図８及び９のフィードバックメッセージビットマップのいずれかを利用できる。ＡＲＱ受信機はその後、７０８で示されるＡＣＫマップにおいて、確認される最後のブロックの指示と共にＡＲＱフィードバックメッセージを送信する。
【００４４】
ＡＲＱ送信機は、７１０で示される、ＡＣＫマップ情報素子で確認される最後のブロックの指示と共にＡＲＱフィードバックメッセージを受信する。ＡＲＱ送信機は７１２で示される、確認最終ブロックに対応するビットの後のＡＣＫマップのビットを無視する。ＡＲＱ送信機は、ＡＣＫマップの有効な部分において、受信されるＡＣＫ又はＮＡＣＫビットに基づいていくつかのブロックを再送信できる。
【００４５】
図８は、図７及び本出願の特定の実施形態に従って、選択的なＡＲＱフィードバック及び選択的なＡＲＱフィードバックメッセージとの累積のための第１のセットの提示ビットマップを示す。図８に示すように、ＡＣＫマップは、レシーバが確認したい最終ブロック連続番号８０２の表示を含めることができる。
【００４６】
図７及び本出願の特定の実施形態によれば、図９は選択的なＡＲＱフィードバック及び選択的なＡＲＱフィードバックメッセージとの累積の第２のセットの提示ビットマップを示す。図９に示すように、最後のＡＣＫマップブロック９０４の最後の４つのビット９０２は、どのビットが最後の有効ビットであるかについて指し示すことができる。図９の実施例において、残りの４つのビットがどのビットが最後の有効ビットであるかについて指し示すために用いるように、最後のＡＣＫマップブロック９０４は、最大１２の確認ブロック（例えば１２のＡＣＫビット）まで示すことができる。
【００４７】
本開示の特定の実施形態について、不必要な転送を減らすために、最後のＡＣＫマップブロックの最後のビットがゼロならば、ＡＲＱ送信機が確認した最後のブロックの連続番号を含むブロックによって、最後の確認ブロックに通知できる。最後のＡＣＫマップブロックの最後のビットが、最後のブロックが確認されたことを意味する１である場合、ＡＲＱ送信機は確認された最後のブロックの連続番号を含む他のブロックを受信することを待たない。
【００４８】
図１０は本出願の特定の実施形態に従った、ＡＲＱ送信機及びＡＲＱ受信機により行われる動作のコマンド及びシーケンスの事例的交換を示す。ＡＲＱ送信機は１００２で示されるブロックを送信し、それらは１００４で示されるＡＲＱ受信機によって、少なくとも部分的に受信される。ＡＲＱ受信機は、１００６でＡＲＱフィードバックメッセージ（ＡＣＫマップ）を生成する。その後、ＡＲＱ受信機は“確認された最後のブロック”のフィールドが１００８で示されるＡＲＱフィードバックメッセージに含まれるか否かを示す最後のＡＣＫマップの最後のビットと共にＡＲＱフィードバックメッセージを送信する。
【００４９】
ＡＲＱ送信機は、１０１０でＡＲＱフィードバックを受信する。ＡＲＱ送信機は、１０１２で、最後のＡＣＫマップの最後のビットを読み込む。最後のＡＣＫマップの最後のビットが１である場合、ＡＲＱ送信機は１０１４で示されるＡＣＫとして最後のビットを解釈する。最後のＡＣＫマップの最後のビットがゼロである場合、ＡＲＱ送信機は１０１６で示される、最後のブロック確認フィールドにおいて、確認される最後のブロックの連続番号を読み込む。その後、ＡＲＱ送信機は、確認された最後のブロックと関連するビットの後の最後のＡＣＫマップメッセージのビットを無視する。
【００５０】
図１１Ａ−図１１Ｄは図１０及び本出願の特定の実施形態に従って、選択的なＡＲＱフィードバック及び選択的なＡＲＱフィードバックメッセージとの累積のための第３のセットの提示ビットマップを示す。ＡＲＱフィードバックメッセージの最後のＡＣＫマップブロック９０４は、最後のビットに対するゼロ又は１のいずれかの値を有する。
【００５１】
図１１Ａは最後のＡＣＫマップブロック９０４の最後のビット１１０２がゼロであるときの選択的なＡＲＱフィードバックのための提示ビットマップを示す。故に、最後のＡＣＫマップの確認された最後のフロック８０２の連続番号を含む追加のブロックが送信機により受信される。
【００５２】
図１１Ｂは最後のＡＣＫマップブロック９０４の最後のビット１１０２が１であるときの選択的なＡＲＱフィードバックのための提示ビットマップを示す。故に、ＡＲＱ送信機が最後のＡＣＫマップブロック９０４の最後のビット１１０２に対応するブロックのためのＡＣＫとしてこのビットを解釈する。
【００５３】
図１１Ｃは最後のＡＣＫマップブロック９０４の最後のビット１１０２がゼロであるときの選択的なＡＲＱフィードバックとの累積のための提示ビットマップを示す。図１１Ａと同様に、最後のＡＣＫマップブロックの確認された最後のブロック８０２の連続番号を含む追加的なブロックが送信機により受信される。
【００５４】
図１１Ｄは最後のＡＣＫマップブロック９０４の最後のビット１１０２が１であるときに、選択的ＡＲＱフィードバックとの累積のための提示ビットマップを示す。図１１Ｄと同様に、ＡＣＫは最後のＡＣＫマップブロック９０４の最後のビット１１０２に対応するブロックに対して示される。
【００５５】
本開示の特定の実施形態は、不必要な再送信を避けるためにＡＲＱフィードバックメッセージにおいて、確認される最後のブロックをＡＲＱ送信機に知らせる方法を提供した。確認される最後のブロックに関する情報は、種々の形式でＡＲＱ送信機に送信されてもよい。本開示は最後の確認ブロックに関する情報を含む選択的フィードバックの選択及び累積のための若干の事例ビットマップの一覧を示す。しかし、他のビットマップが、本開示の範囲から逸脱しないで使用されてもよい。
【００５６】
上記した方法の種々の動作は、図に示されるミ−ンズプラスファンクションブロック（means-plus-function blocks）に対応する種々のハードウェア及び／又はソフトウェアコンポーネント及び／又はモジュールにより実施されてもよい。通常、対応する同等のミーンズプラスファンクション図を有する図に示される方法がある場合、動作ブロックは同様の番号付けでミーンズプラスファンクションブロックに対応する。例えば、図６、７及び１０に示される動作６００、７００及び１０００の全ては、図６Ａ、７Ａ及び１０Ａに示されるミーンズプラスファンクションブロック６００Ａ、７００Ａ及び１０００Ａと対応する。
【００５７】
ここで使用しているように、用語“決定”は、多種多様な作用を含む。例えば、“決定”は算出すること、計算すること、処理すること、取得すること、調査すること、検索すること（例えば、テーブル、データベース又は他のデータ構造において、検索すること）、解明することなどを含んでもよい。また、“決定”は受信すること（例えば、情報を受信こと）、アクセスすること（例えば、メモリのデータにアクセスすること）を含んでもよい。また、“決定”は分解すること、選定すること(selecting)、選択すること(choosing)、確立することなどを含んでもよい。
【００５８】
情報及び信号は、種々の異なる科学技術及び技術のいずれかを使用して表すことができる。上記説明を通して参照されている、例えば、データ、インストラクション、コマンド、情報、信号などは電圧、電流、電磁波、磁場又は分子、光場又は分子、若しくは、それのいかなる組合せにより表されてもよい。
【００５９】
本開示と関連して記載されている種々の具体的な論理ブロック、モジュール及び回路は汎用プロセッサ、デジタル信号プロセッサ（ＤＳＰ）、特定用途向け集積回路（ＡＳＩＣ）、フィールドプログラマブルゲートアレイ信号（ＦＰＧＡ）又は他のプログラム可能な論理装置、離散的なゲート又はトランジスタロジック、離散的なハードウェアコンポーネント又はここに記載された機能を実行するように設計されるその任意の組合せによって、実施又は実行されてもよい。汎用プロセッサはマイクロプロセッサであってもよいが、択一的に、プロセッサはいかなる市販のプロセッサも、コントローラ、マイクロコントローラ又は状態装置であってもよい。プロセッサは、また、計算装置の組み合わせ、例えば、ＤＳＰとマイクロプロセッサの組合せ、複数のマイクロプロセッサＤＳＰコアと関連する１つ以上のマイクロプロセッサ又はいかなるそのような構成との組合せとして実施されてもよい。
【００６０】
本開示と関連して記載されている方法又はアルゴリズムのステップはハードウェアで直接に、プロセッサにより実行されるソフトウェアモジュール又は２つの組み合わせで実施されてもよい。ソフトウェアモジュールは、従来技術において、周知である記憶媒体のいかなる形状で存在してもよい。使用されてもよい記憶媒体のいくつかの例は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一のインストラクション又は多くのインストラクションを含めてもよく、異なるプログラムの中の幾つかの異なるコードセグメントにわたり、及び多数の記憶媒体全体に分布されてもよい。記憶媒体はプロセッサが記憶媒体から情報を読み込み、記憶媒体に情報を書き込むことができるようにプロセッサに接続されてもよい。或いは、記憶媒体はプロセッサに一体的に構成されてもよい。
【００６１】
ここに開示される方法は、記載されている方法を達成するための１つ以上のステップ又は作用を含む。方法ステップ及び／又は作用は、請求の範囲から逸脱しないで互いに交換されてもよい。換言すれば、ステップ又は作用の特定の順序は指定されない限り、特定のステップ及び／又は作用の順序及び／又は作用が請求の範囲を逸脱しないで変更されてもよい。
【００６２】
記載されている機能は、ハードウェア、ソフトウェア、ファームウェア又はその任意の組合で実施されてもよい。ソフトウェアで実施される場合、機能はコンピュータ読取り可能媒体に１つ以上のインストラクションとして格納されてもよい。記憶メディアは、コンピュータによって、アクセスし得る任意の利用可能媒体であってもよい。例えば、限定されないが、このようなコンピュータ可読の媒体はＲＡＭ、ＲＯＭ、ＥＥＰＲＯＭ、ＣＤ−ＲＯＭ又は他の光学ディスク記憶装置、磁気ディスク記憶装置又は他の磁気記憶装置、若しくは、インストラクション又はデータ構造の形態で所望のプログラムコードを配送又は格納するために用いることができ、コンピュータによって、アクセスし得る任意の他の媒体で構成されてもよい。ここで使用されているディスク（ｄｉｓｋ）及びディスク（ｄｉｓｃ）はコンパクトディスク（ＣＤ）、レーザーディスク（登録商標）、光ディスク、デジタル多用途ディスク（ＤＶＤ）、フロッピー（登録商標）ディスク、ブルーレイディスクを含む。ｄｉｓｋは通常、データを磁気的に再生し、これに対してｄｉｓｃはデータを光学的に再生する。
【００６３】
ソフトウェア又はインストラクションは、また、送信媒体を介して送信されてもよい。例えば、ソフトウェアがウェブサイト、サーバ又は同軸ケーブル、光ファイバーケーブル、ツイストペア、デジタル加入者回線（ＤＳＬ）又は無線技術（例えば赤外線、ラジオ及びマイクロ波）を使用している他の遠隔ソースから送信される場合、同軸ケーブル、光ファイバーケーブル、ツイストペア、ＤＳＬ又は赤外線、ラジオ及びマイクロ波のような無線技術が伝送媒体の定義に含まれる。
【００６４】
更に、図に示されたもののような、ここで説明されている方法及び技法を実行するモジュール及び他の適切な手段がダウンロードされてもよく及び／又は規定通りにモバイル機器及び／又は基地局によって、得られてもよいことは言うまでもない。例えば、このような装置は、ここで記載されている方法を実行するための手段の転送を容易にするためにサーバに接続できる。或いは、ここに記載されている種々の方法は格納手段、例えば、ランダムアクセスメモリ（ＲＡＭ）、読出し専用メモリ（ＲＯＭ）、物理的な記憶媒体（例えばコンパクトディスク（ＣＤ）又はフロッピーディスクなど）を経て提供し得る。それにより、モバイル機器及び／又は基地局は装置に格納手段を接続して又は提供して種々の方法を得ることができる。さらに、ここに説明されている方法及び技法を装置に提供する任意の他の適切な技術が利用されてもよい。
【００６５】
請求項は上記に説明した正確な構成及びコンポーネントに限られていないことは理解される。種々の変更、変化及びバリエーションは、請求項の範囲を逸脱しないで、上述した方法及び装置の配置。動作及び詳細において、なされてもよい。
【００６６】
上記は］本開示の実施形態を対象としているが、開示の他の及び更の実施形態がその基本範囲を逸脱しないで案出されてもよく、その範囲は以下の請求項により決定される。
【図１】
2012508515.tif 000003
【図２】
2012508515.tif 000004
【図３】
2012508515.tif 000005
【図４】
2012508515.tif 000006
【図５】
2012508515.tif 000007
【図６】
2012508515.tif 000008
【図６Ａ】
2012508515.tif 000009
【図７】
2012508515.tif 000010
【図７Ａ】
2012508515.tif 000011
【図８】
2012508515.tif 000012
【図９】
2012508515.tif 000013
【図１０】
2012508515.tif 000014
【図１０Ａ】
2012508515.tif 000015
【図１１Ａ】
2012508515.tif 000016
【図１１Ｂ】
2012508515.tif 000017
【図１１Ｃ】
2012508515.tif 000018
【図１１Ｄ】
2012508515.tif 000019
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
データの対応するブロックが自動再送要求（ＡＲＱ）フィードバックメッセージを送信する装置によって首尾よく受信されたか否かを示す複数のビットを含むＡＣＫマップを含む前記ＡＲＱフィードバックメッセージを受信すること、
ＡＲＱフィードバックメッセージに基づいて前記ＡＣＫマップの最後の有効ビットを決定すること、
前記最後の有効ビットの後の前記ＡＲＱフィードバックメッセージの１つ以上のビットを無視すること、
を含む、無線通信方法。
【請求項２】
前記最後の有効ビットを決定することは、最後の確認（ＡＣＫ）を決定することを含み、前記ＡＲＱフィードバックメッセージのビットを無視することは、最後のＡＣＫビットの後の連続的なＮＡＣＫビットを無視することを含む、
請求項１の方法。
【請求項３】
最後の有効ビットを決定することは前記ＡＲＱフィードバックメッセージの最後の確認（ＡＣＫ）マップの最後のビットを読み込むことを含む、請求項１の方法。
【請求項４】
前記最後の有効ビットを決定することは
前記最後のビットが１であれば、前記最後のビットをＡＣＫと解釈すること、最後のビットが０であれば、前記ＡＲＱフィードバックメッセージの前記最後のＡＣＫマップの後のブロックの最後のブロック確認フィールドを読み込むこと、を含む、請求項３の方法。
【請求項５】
前記最後の有効ビットを決定することはＡＲＱフィードバックメッセージの最後のブロックの連続番号（ＢＳＮ）で確認された最後のブロックの連続番号を読み取ることを含む、請求項１の方法。
【請求項６】
前記ＡＲＱフィードバックメッセージは、選択的な確認（ＡＣＫ）メッセージと選択的な確認（ＡＣＫ）メッセージとの累積の少なくとも一つを含む、請求項１の方法。
【請求項７】
自動再送要求（ＡＲＱ）ブロックを受信すること、
データの対応するブロックが首尾よく受信されたか否かを示す複数のビット及び前記ＡＣＫマップの最後の有効ビットの指示を含むＡＲＱフィードバックメッセージを生成すること、
前記ＡＲＱフィードバックメッセージを送信すること、を含む、無線通信方法。
【請求項８】
前記最後の有効ビットの指示は確認（ＡＣＫ）マップ情報要素の最後のブロック連続番号（ＢＳＮ）を含む、請求項７の方法。
【請求項９】
最後の有効ビットの指示は前記ＡＲＱフィードバックメッセージの最後の確認（ＡＣＫ）マップの最後のビットを含む、請求項７の方法。
【請求項１０】
前記ＡＲＱフィードバックメッセージを生成することは、
前記最後の有効ビットが前記最後のＡＣＫマップの前記最後のビットに対応すれば、確認を示すために最後の確認（ＡＣＫ）マップの前記最後のビットを１に設定すること、前記最後の有効ビットが前記最後のＡＣＫマップの前記最後のビットに対応しなければ、前記最後の有効ビットを示すために最後のブロック連続番号（ＢＳＮ）フィールドを前記ＡＲＱフィードバックメッセージに追加すること、を含む、請求項７の方法。
【請求項１１】
前記ＡＲＱフィードバックメッセージは、選択的な確認メッセージと選択的な確認メッセージとの累積の少なくとも一つを含む、請求項７の方法。
【請求項１２】
データの対応するブロックが自動再送要求（ＡＲＱ）フィードバックメッセージを送信する装置によって首尾よく受信されたか否かを示す複数のビットを含むＡＣＫマップを含む前記ＡＲＱフィードバックメッセージを受信するロジックと、
ＡＲＱフィードバックメッセージに基づいて前記ＡＣＫマップの最後の有効ビットを決定するロジックと、
前記最後の有効ビットの後の前記ＡＲＱフィードバックメッセージの１つ以上のビットを無視するロジックと、を含む、無線通信装置。
【請求項１３】
前記最後の有効ビットを決定するロジックは、最後の確認（ＡＣＫ）ビットを決定することを含み、前記ＡＲＱフィードバックメッセージのビットを無視するロジックは、前記最後のＡＣＫビットの後の連続的なＮＡＣＫビットを無視することを含む，請求項１２の装置。
【請求項１４】
前記最後の有効ビットを決定することは前記ＡＲＱフィードバックメッセージの最後の確認（ＡＣＫ）マップの最後のビットを読み込むことを含む、請求項１２の装置。
【請求項１５】
前記最後の有効ビットを決定することは、
最後のビットが１であれば、前記最後のビットをＡＣＫとして解釈するロジックと、前記最後のビットが０であれば、前記ＡＲＱフィードバックメッセージの前記最後のＡＣＫマップの後の前記ブロックの最後のブロック確認フィールドを読み込むためのロジックと、を含む、請求項１４の装置。
【請求項１６】
前記最後の有効ビットを決定することは前記ＡＲＱフィードバックメッセージの最後のブロックの連続番号（ＢＳＮ）で確認された最後のブロックの連続番号を読み取ることを含む、請求項１２の装置。
【請求項１７】
前記ＡＲＱフィードバックメッセージは、選択的な確認（ＡＣＫ）メッセージと選択的な確認（ＡＣＫ）メッセージとの累積の少なくとも一つを含む、請求項１２の装置。
【請求項１８】
自動再送要求（ＡＲＱ）ブロックを受信すること、
データの対応するブロックが自動再送要求（ＡＲＱ）フィードバックメッセージを送信する装置によって首尾よく受信されたか否かを示す複数のビットを含むＡＣＫマップ及び前記ＡＣＫマップの最後の有効ビットの指示を含むＡＲＱフィードバックメッセージを生成すること、
前記ＡＲＱフィードバックメッセージを送信すること、を含む、無線通信装置。
【請求項１９】
前記最後の有効ビットの指示が確認（ＡＣＫ）マップ情報要素の最後のブロック連続番号（ＢＳＮ）フィールドを含む、請求項１８の装置。
【請求項２０】
前記最後の有効ビットの指示が前記ＡＲＱフィードバックメッセージの最後の確認（ＡＣＫ）マップの最後のビットを含む、請求項１８の装置。
【請求項２１】
前記最後の有効ビットが最後のＡＣＫマップの前記最後のビットに対応すれば、確認を示すために最後の確認（ＡＣＫ）マップの前記最後のビットを１に設定するロジックと、
前記最後の有効ビットが最後のＡＣＫマップの前記最後のビットに対応しなければ、前記最後の有効ビットを示すために最後のブロック連続番号（ＢＳＮ）フィールドを前記ＡＲＱフィードバックメッセージに追加するロジックと、を具備する、請求項１８の装置。
【請求項２２】
前記ＡＲＱフィードバックメッセージは、選択的な確認メッセージ及び選択的な確認メッセージとの累積の少なくとも一つを含む、請求項１８の装置。
【請求項２３】
データの対応するブロックが自動再送要求（ＡＲＱ）フィードバックメッセージを送信する装置によって首尾よく受信されたか否かを示す複数のビットを含むＡＣＫマップを含む前記ＡＲＱフィードバックメッセージを受信する手段と、
前記ＡＲＱフィードバックメッセージに基づいて前記ＡＣＫマップの最後の有効ビットを決定する手段と、
前記最後の有効ビットの後の前記ＡＲＱフィードバックメッセージの１つ以上のビットを無視する手段と、を具備する、無線通信装置。
【請求項２４】
前記最後の有効ビットを決定する手段は、最後の確認（ＡＣＫ）ビットを決定することを含み、前記ＡＲＱフィードバックメッセージのビットを無視する手段は、最後のＡＣＫビットの後の連続的なＮＡＣＫビットを無視することを含む、請求項２３の装置。
【請求項２５】
前記最後の有効ビットを決定することは前記ＡＲＱフィードバックメッセージの最後の確認（ＡＣＫ）マップの最後のビットを読み込むことを含む、請求項２３の装置。
【請求項２６】
前記最後の有効ビットを決定することは、
前記最後のビットが１であれば、前記最後のビットをＡＣＫとして解釈する手段と、
前記最後のビットが０であれば、前記ＡＲＱフィードバックメッセージの前記最後のＡＣＫマップ後の前記ブロックの最後の有効ビットを読み取り手段と、を含む、請求項２５の装置。
【請求項２７】
前記最後の有効ビットを決定することは前記ＡＲＱフィードバックメッセージの最後のブロックの連続番号（ＢＳＮ）フィールドにおいて確認された最後のブロックの連続番号を読み取ることを含む、請求項２３の装置。
【請求項２８】
前記ＡＲＱフィードバックメッセージは、選択的な確認（ＡＣＫ）メッセージと選択的な確認（ＡＣＫ）メッセージとの累積の少なくとも一つを含む、請求項２３の装置。
【請求項２９】
自動再送要求（ＡＲＱ）ブロックを受信する手段と、
データの対応するブロックが自動再送要求（ＡＲＱ）フィードバックメッセージを送信する装置によって首尾よく受信されたか否かを示す複数のビットを含むＡＣＫマップ及び前記ＡＣＫマップの最後の有効ビットの指示を含むＡＲＱフィードバックメッセージを生成する手段と、
前記ＡＲＱフィードバックメッセージを送信する手段と、を具備する、無線通信装置。
【請求項３０】
最後の有効ビットの指示が確認（ＡＣＫ）マップ情報要素の最後のブロック連続番号（ＢＳＮ）フィールドを含む、請求項２９の装置。
【請求項３１】
前記最後の有効ビットの指示が前記ＡＲＱフィードバックメッセージの最後の確認（ＡＣＫ）マップの最後のビットを含む、請求項２９の装置。
【請求項３２】
前記ＡＲＱフィードバックメッセージは
前記最後の有効ビットが最後のＡＣＫマップの最後のビットに対応すれば、確認を示すために最後の確認（ＡＣＫ）マップの最後のビットを１に設定する手段と、
前記最後の有効ビットが前記最後のＡＣＫマップの前記最後のビットに対応しなければ、前記最後の有効ビットを示すために最後のブロック連続番号（ＢＳＮ）フィールドを前記ＡＲＱフィードバックメッセージに追加する手段と、を含む、請求項２９の装置。
【請求項３３】
前記ＡＲＱフィードバックメッセージは、選択的な確認メッセージ及び選択的確認メッセージとの累積の少なくとも１つとを含む、請求項２９の装置。
【請求項３４】
格納され、１つ以上のプロセッサによって、実行可能なインストラクションを有するコンピュータ可読の媒体を含む、無線通信のためのコンピュータプログラム記憶装置であって、
前記インストラクションは
データの対応するブロックが自動再送要求（ＡＲＱ）フィードバックメッセージを送信する装置によって首尾よく受信されたか否かを示す複数のビットを含むＡＲＱフィードバックメッセージを受信するインストラクションと、
前記ＡＲＱフィードバックメッセージに基づいて前記ＡＣＫマップの最後の有効ビットを決定するインストラクションと、
前記最後の有効ビットの後の前記ＡＲＱフィードバックメッセージの１つ以上のビットを無視するインストラクションと、を含む、コンピュータプログラム記憶装置。
【請求項３５】
前記最後の有効ビットを決定するインストラクションは、最後の確認（ＡＣＫ）ビットを決定するインストラクションを含み、前記ＡＲＱフィードバックメッセージの前記ビットを無視するインストラクションは、最後のＡＣＫビットの後の連続的なＮＡＣＫビットを無視するインストラクションを含む、請求項３４のコンピュータプログラム記憶装置。
【請求項３６】
前記最後の有効ビットを決定する前記インストラクションは前記ＡＲＱフィードバックメッセージの最後の確認（ＡＣＫ）マップの最後のビットを読み込むインストラクションを含む、請求項３４のコンピュータプログラム記憶装置。
【請求項３７】
前記最後の有効ビットを決定する前記インストラクションは、最後のビットが１であれば、前記最後のビットをＡＣＫとして解釈するためのインストラクションと、
前記最後のビットが０であれば、前記ＡＲＱフィードバックメッセージの最後のＡＣＫマップの後の前記ブロックの最後のブロック確認フィールドを読み込むためのインストラクションと、を含む、請求項３６のコンピュータプログラム記憶装置。
【請求項３８】
前記最後の有効ビットを決定するインストラクションは前記ＡＲＱフィードバックメッセージの最後のブロック連続番号（ＢＳＮ）で確認された最後のブロックの連続番号を読み取るインストラクションを含む、請求項３４のコンピュータプログラム記憶装置。
【請求項３９】
前記ＡＲＱフィードバックメッセージは、選択的な確認（ＡＣＫ）メッセージと選択的な確認（ＡＣＫ）メッセージとの累積の少なくとも一つを含む、請求項３４のコンピュータプログラム記憶装置。
【請求項４０】
格納され、１つ以上のプロセッサによって、実行可能なインストラクションを有するコンピュータ可読の媒体を含む、無線通信のためのコンピュータプログラム記憶装置であって、前記インストラクションは、
自動再送要求（ＡＲＱ）ブロックを受信するためのインストラクションと、
データの対応するブロックが自動再送要求（ＡＲＱ）フィードバックメッセージを送信する装置によって首尾よく受信されたか否かを示す複数のビットを含むＡＣＫマップ及び前記ＡＣＫマップの最後の有効ビットの指示を含むＡＲＱフィードバックメッセージを生成するためのインストラクションと、
前記ＡＲＱフィードバックメッセージを送信するためのインストラクションと、を含む、コンピュータプログラム記憶装置。
【請求項４１】
前記最後の有効ビットの指示が確認（ＡＣＫ）マップ情報要素の最後のブロック連続番号（ＢＳＮ）フィールドを含む、請求項４０のコンピュータプログラム記憶装置。
【請求項４２】
前記最後の有効ビットの指示が前記ＡＲＱフィードバックメッセージの最後の確認（ＡＣＫ）マップの最後のビットを含む、請求項４０のコンピュータプログラム記憶装置。
【請求項４３】
前記ＡＲＱフィードバックメッセージを生成するインストラクションは、
前記最後の有効ビットが最後の確認（ＡＣＫ）マップの最後のビットに対応すれば、確認を示すために前記最後のＡＣＫマップの前記最後のビットを１に設定するためのインストラクションと、
前記確認された最後のブロックが前記最後のＡＣＫマップの最後のビットに対応しなければ、前記最後の有効ビットを示すために最後のブロック連続番号（ＢＳＮ）フィールドを前記ＡＲＱフィードバックメッセージに追加するためのインストラクションと、を含む、請求項４０のコンピュータプログラム記憶装置。
【請求項４４】
前記ＡＲＱフィードバックメッセージは、選択的な確認メッセージ及び選択的確認メッセージとの累積の少なくとも１つとを含む、請求項４０のコンピュータプログラム記憶装置。
【手続補正２】
【補正対象書類名】明細書
【補正対象項目名】００６６
【補正方法】変更
【補正の内容】
【００６６】
上記は本開示の実施形態を対象としているが、開示の他の及び更の実施形態がその基本範囲を逸脱しないで案出されてもよく、その範囲は以下の請求項により決定される。
付記
［１］  自動再送要求（ＡＲＱ）フィードバックメッセージを受信すること、ＡＲＱフィードバックメッセージに基づいて確認される最後の１ブロックを決定すること、確認される前記最後のブロックの後の前記ＡＲＱフィードバックメッセージの１つ以上のビットを無視すること、を含む、無線通信方法。
［２］  最後の確認ブロックを決定することは、最後の確認（ＡＣＫ）を決定することを含み、前記ＡＲＱフィードバックメッセージのビットを無視することは、最後のＡＣＫビットの後の連続的なＮＡＣＫビットを無視することを含む、［１］の方法。
［３］  確認される前記最後のブロックを決定することは前記ＡＲＱフィードバックメッセージの最後の確認（ＡＣＫ）マップの最後のビットを読み込むことを含む、［１］の方法。
［４］  確認される前記最後のブロックを決定することは前記最後のビットが１であれば、前記最後のビットをＡＣＫと解釈すること、最後のビットが０であれば、前記ＡＲＱフィードバックメッセージの前記最後のＡＣＫマップの後のブロックの最後のブロック確認フィールドを読み込むこと、を含む、［３］の方法。
［５］  確認される前記最後のブロックを決定することはＡＲＱフィードバックメッセージの最後のブロックの連続番号（ＢＳＮ）で確認された最後のブロックの連続番号を読み取ることを含む、［１］の方法。
［６］  前記ＡＲＱフィードバックメッセージは、選択的な確認（ＡＣＫ）メッセージと選択的な確認（ＡＣＫ）メッセージとの累積の少なくとも一つを含む、［１］の方法。
［７］  自動再送要求（ＡＲＱ）ブロックを受信すること、ＡＲＱブロックから確認した最後のブロックの指示を含むＡＲＱフィードバックメッセージを生成すること、前記ＡＲＱフィードバックメッセージを送信すること、を含む、無線通信方法。
［８］  確認される前記最後のブロックの指示は確認（ＡＣＫ）マップ情報要素の最後のブロック連続番号（ＢＳＮ）を含む、［７］の方法。
［９］  確認される前記最後のブロックの指示は前記ＡＲＱフィードバックメッセージの最後の確認（ＡＣＫ）マップの最後のビットを含む、［７］の方法。
［１０］  前記ＡＲＱフィードバックメッセージを生成することは、確認される前記最後のブロックが前記最後のＡＣＫマップの前記最後のビットに対応すれば、確認を示すために最後の確認（ＡＣＫ）マップの前記最後のビットを１に設定すること、確認される前記最後のブロックが前記最後のＡＣＫマップの前記最後のビットに対応しなければ、確認される前記最後のブロックを示すために最後のブロック連続番号（ＢＳＮ）フィールドを前記ＡＲＱフィードバックメッセージに追加すること、を含む、［７］の方法。
［１１］  前記ＡＲＱフィードバックメッセージは、選択的な確認メッセージと選択的な確認メッセージとの累積の少なくとも一つを含む、［７］の方法。
［１２］  自動再送要求（ＡＲＱ）フィードバックメッセージを受信するロジックと、前記ＡＲＱフィードバックメッセージに基づいて確認される最後のブロックを決定するロジックと、確認される前記最後のブロックの後の前記ＡＲＱフィードバックメッセージの１つ以上のビットを無視するロジックと、を含む、無線通信装置。
［１３］  最後の確認ブロックを決定するロジックは、最後の確認（ＡＣＫ）ビットを決定することを含み、前記ＡＲＱフィードバックメッセージのビットを無視するロジックは、前記最後のＡＣＫビットの後の連続的なＮＡＣＫビットを無視することを含む，［１２］の装置。
［１４］  確認される前記最後のブロックを決定することは前記ＡＲＱフィードバックメッセージの最後の確認（ＡＣＫ）マップの最後のビットを読み込むことを含む、［１２］の装置。
［１５］  確認される前記最後のブロックを決定することは、最後のビットが１であれば、前記最後のビットをＡＣＫとして解釈するロジックと、前記最後のビットが０であれば、前記ＡＲＱフィードバックメッセージの前記最後のＡＣＫマップの後の前記ブロックの最後のブロック確認フィールドを読み込むためのロジックと、を含む、［１４］の装置。
［１６］  確認される前記最後のブロックを決定することは前記ＡＲＱフィードバックメッセージの最後のブロックの連続番号（ＢＳＮ）で確認された前記最後のブロックの連続番号を読み取ることを含む、［１２］の装置。
［１７］  前記ＡＲＱフィードバックメッセージは、選択的な確認（ＡＣＫ）メッセージと選択的な確認（ＡＣＫ）メッセージとの累積の少なくとも一つを含む、［１２］の装置。
［１８］  自動再送要求（ＡＲＱ）ブロックを受信すること、前記ＡＲＱブロックから確認される最後のブロックの指示を含むＡＲＱフィードバックメッセージを生成するロジックと、前記ＡＲＱフィードバックメッセージを送信するロジックと、を含む、無線通信装置。
［１９］  確認される前記最後のブロックの指示が確認（ＡＣＫ）マップ情報要素の最後のブロック連続番号（ＢＳＮ）フィールドを含む、［１８］の装置。
［２０］  認される前記最後のブロックの指示が前記ＡＲＱフィードバックメッセージの最後の確認（ＡＣＫ）マップの最後のビットを含む、［１８］の装置。
［２１］  確認される最後のブロックが最後のＡＣＫマップの最後のビットに対応すれば、確認を示すために最後の確認（ＡＣＫ）マップの最後のビットを１に設定するロジックと、確認される前記最後のブロックが最後のＡＣＫマップの最後のビットに対応しなければ、確認された前記最後のブロックを示すために最後のブロック連続番号（ＢＳＮ）フィールドを前記ＡＲＱフィードバックメッセージに加えるロジックと、を具備する、［１８］の装置。
［２２］  前記ＡＲＱフィードバックメッセージは、選択的な確認メッセージ及び選択的な確認メッセージとの累積の少なくとも一つを含む、［１８］の装置。
［２３］  自動再送要求（ＡＲＱ）フィードバックメッセージを受信する手段と、前記ＡＲＱフィードバックメッセージに基づいて確認される最後の１ブロックを決定する手段と、確認される前記最後のブロックの後の前記ＡＲＱフィードバックメッセージの１つ以上のビットを無視する手段と、を具備する、無線通信装置。
［２４］  最後の確認ブロックを決定する手段は、最後の確認（ＡＣＫ）ビットを決定することを含み、前記ＡＲＱフィードバックメッセージのビットを無視する手段は、最後のＡＣＫビットの後の連続的なＮＡＣＫビットを無視することを含む。
［２３］の装置。
［２５］  確認される前記最後のブロックを決定することは前記ＡＲＱフィードバックメッセージの最後の確認（ＡＣＫ）マップの最後のビットを読み込むことを含む、［２３］の装置。
［２６］  前記最後の確認ブロックを決定することは、前記最後のビットが１であれば、前記最後のビットをＡＣＫとして解釈する手段と、前記最後のビットが０であれば、前記ＡＲＱフィードバックメッセージの前記最後のＡＣＫマップ後の前記ブロックの最後のブロック確認フィールドを読み取り手段と、含む、［２５］の装置。
［２７］  確認される前記最後のブロックを決定することは前記ＡＲＱフィードバックメッセージの最後のブロックの連続番号（ＢＳＮ）フィールドにおいて確認された最後のブロックの連続番号を読み取ることを含む、［２３］の装置。
［２８］  前記ＡＲＱフィードバックメッセージは、選択的な確認（ＡＣＫ）メッセージと選択的な確認（ＡＣＫ）メッセージとの累積の少なくとも一つを含む、［２３］の装置。
［２９］  自動再送要求（ＡＲＱ）ブロックを受信する手段と、前記ＡＲＱブロックから確認される最後のブロックの指示を含むＡＲＱフィードバックメッセージを生成する手段と、前記ＡＲＱフィードバックメッセージを送信する手段と、を具備する、無線通信装置。
［３０］  確認される前記最後のブロックの指示が確認（ＡＣＫ）マップ情報要素の最後のブロック連続番号（ＢＳＮ）フィールドを含む、［２９］の装置。
［３１］  確認される前記最後のブロックの指示が前記ＡＲＱフィードバックメッセージの最後の確認（ＡＣＫ）マップの最後のビットを含む、［２９］の装置。
［３２］  前記ＡＲＱフィードバックメッセージは確認される最後のブロックが最後のＡＣＫマップの最後のビットに対応すれば、確認を示すために最後の確認（ＡＣＫ）マップの最後のビットを１に設定する手段と、確認される前記最後のブロックが最後のＡＣＫマップの最後のビットに対応しなければ、確認された前記最後のブロックを示すために最後のブロック連続番号（ＢＳＮ）フィールドを前記ＡＲＱフィードバックメッセージに加える手段と、を含む、［２９］の装置。
［３３］  前記ＡＲＱフィードバックメッセージは、選択的な確認メッセージ及び選択的確認メッセージとの累積の少なくとも１つとを含む、［２９］の装置。
［３４］  格納され、１つ以上のプロセッサによって、実行可能なインストラクションを有するコンピュータ可読の媒体を含む、無線通信のため］のコンピュータプログラム記憶装置であって、前記インストラクションは自動再送要求（ＡＲＱ）フィードバックメッセージを受信するためのインストラクションと、前記ＡＲＱフィードバックメッセージに基づいて確認される最後のブロックを決定するためのインストラクションと、確認される前記最後のブロックの後の前記ＡＲＱフィードバックメッセージの１つ以上のビットを無視するためのインストラクションと、を含む、コンピュータプログラム記憶装置。
［３５］  確認された前記最後のブロックを決定するためのインストラクションは、最後の確認（ＡＣＫ）ビットを決定することを含み、前記ＡＲＱフィードバックメッセージの前記ビットを無視するためのインストラクションは、最後のＡＣＫビットの後の連続的なＮＡＣＫビットを無視することを含む、［３４］のコンピュータプログラム記憶装置。
［３６］  確認される前記最後のブロックを決定することは前記ＡＲＱフィードバックメッセージの最後の確認（ＡＣＫ）マップの最後のビットを読み込むことを含む、［３４］のコンピュータプログラム記憶装置。
［３７］  確認される前記最後のブロックを決定することは、最後のビットが１であれば、前記最後のビットをＡＣＫとして解釈するためのインストラクションと、前記最後のビットが０であれば、前記ＡＲＱフィードバックメッセージの最後のＡＣＫマップの後の前記ブロックの最後のブロック確認フィールドを読み込むためのインストラクションと、を含む、［３６］のコンピュータプログラム記憶装置。
［３８］  確認される前記最後のブロックを決定することは前記ＡＲＱフィードバックメッセージの最後のブロック連続番号（ＢＳＮ）で確認された最後のブロックの連続番号を読み取ることを含む、［３４］のコンピュータプログラム記憶装置。
［３９］  前記ＡＲＱフィードバックメッセージは、選択的な確認（ＡＣＫ）メッセージと選択的な確認（ＡＣＫ）メッセージとの累積の少なくとも一つを含む、［３４］のコンピュータプログラム記憶装置。
［４０］  格納され、１つ以上のプロセッサによって、実行可能なインストラクションを有するコンピュータ可読の媒体を含む、無線通信のため］のコンピュータプログラム記憶装置であって、前記インストラクションは、自動再送要求（ＡＲＱ）ブロックを受信するためのインストラクションと、前記ＡＲＱブロックから確認される最後のブロックの指示を含むＡＲＱフィードバックメッセージを生成するためのインストラクションと、前記ＡＲＱフィードバックメッセージを送信するためのインストラクションと、を含む、コンピュータプログラム記憶装置。
［４１］  確認される前記最後のブロックの指示が確認（ＡＣＫ）マップ情報要素の最後のブロック連続番号（ＢＳＮ）フィールドを含む、［４０］のコンピュータプログラム記憶装置。
［４２］  確認される前記最後のブロックの指示が前記ＡＲＱフィードバックメッセージの最後の確認（ＡＣＫ）マップの最後のビットを含む、［４０］のコンピュータプログラム記憶装置。
［４３］  前記ＡＲＱフィードバックメッセージを生成することは、確認される最後のブロックが最後のＡＣＫマップの最後のビットに対応すれば、確認を示すために最後の確認（ＡＣＫ）マップの最後のビットを１に設定するためのインストラクションと、確認される前記最後のブロックが最後のＡＣＫマップの最後のビットに対応しなければ、確認された前記最後のブロックを示すために最後のブロック連続番号（ＢＳＮ）フィールドを前記ＡＲＱフィードバックメッセージに追加するためのインストラクションと、を含む、［４０］のコンピュータプログラム記憶装置。
［４４］  前記ＡＲＱフィードバックメッセージは、選択的な確認メッセージ及び選択的確認メッセージとの累積の少なくとも１つとを含む、［４０］のコンピュータプログラム記憶装置。
【国際調査報告】
2012508515.tif 000020
2012508515.tif 000021
2012508515.tif 000022